(57)【要約】【課題】被加熱物の厚みに対応して発熱層が程よく被加熱物の両面に程よく接し、常に良好な焼き上がりを可能とする電子レンジの加熱補助具を提供する。【解決手段】基材シート２の内面にマイクロ波照射により誘電加熱される発熱層３が設けられ、基材シート２が折り曲げられることで被加熱物を発熱層３の間に挟持する状態において加熱を行う加熱補助具において、基材シート２の折り曲げ位置に沿って複数本の折り曲げ線５ａ、５ｂ、５ｃ、５ｄ、５ｅが並設されてなる加熱補助具。【選択図】図２
0003167540.tif 000002
【実用新案登録請求の範囲】
【請求項１】
基材シートの内面にマイクロ波照射により誘電加熱される発熱層が設けられ、前記基材シートが折り曲げられることで被加熱物を前記発熱層の間に挟持する状態において加熱を行う加熱補助具において、前記基材シートの折り曲げ位置に沿って複数本の折り曲げ線が並設されてなることを特徴とする加熱補助具。
【請求項２】
前記折り曲げ線数が５本である請求項１記載の加熱補助具。
【考案の詳細な説明】
【技術分野】
【０００１】
この考案は、電子レンジにおいて用いる加熱補助具に関する。
【背景技術】
【０００２】
内面に電子レンジにより発熱加熱する発熱層を付設され、その発熱層が両側から接することで被加熱物の両面に焦げ目を付けるように加熱する加熱補助具が提案されている。
【先行技術文献】
【特許文献】
【０００３】
【特許文献１】実開平６−２４４９１号公報
【考案の概要】
【考案が解決しようとする課題】
【０００４】
このような加熱補助具は、例えば、魚を焼く場合に使用されるが、その際には発熱層が魚の両面に程よく接触することで焦げ目のついた良好な焼き上がりが可能となる。しかしながら一匹の魚を焼く場合においては魚によりその厚みが異なり、切り身を焼く場合にも切り身の厚さが異なり、発熱層に程よく接する状態とすることが難しかった。
【０００５】
この考案では、被加熱物の厚みに対応して発熱層が被加熱物の両面に程よく接し、常に良好な焼き上がりを可能とする電子レンジの加熱補助具を提供することを目的とする。
【課題を解決するための手段】
【０００６】
この考案では、基材シートの内面にマイクロ波照射により誘電加熱される発熱層が設けられ、前記基材シートが折り曲げられることで被加熱物を前記発熱層の間に挟持する状態において加熱を行う加熱補助具において、前記基材シートの折り曲げ位置に沿って複数本の折り曲げ線が並設されてなることを特徴とする加熱補助具を提供する。
【０００７】
上記構成の加熱補助具は、折り曲げ位置に複数本の折り曲げ線が設けられていることで、それぞれの折り曲げ線位置において折り曲げられることでの折り曲げ形態は可変なものとり、これに対応して発熱層間の厚み幅も可変とできる。これにより厚みの異なる被加熱物の両面に常に程よく発熱層が接触して良好な加熱状態が得られる。
【０００８】
基材シートとしては紙、不織布等よりなりある程度の剛性と耐熱性を持つものであれば適宜のものが使用できる。発熱層はマイクロ波照射により誘電加熱されるアルミ蒸着層やアルミ微粒子含有塗料層が内部に封止された発熱シートが貼り付けられたり、また、基材シートに直接にアルミ微粒子含有塗料が塗布されその表面に耐熱フィルムが貼られて設けられる。
【０００９】
折り曲げ線はミシン目状の切り目線やプレスによる折り曲げ線等適宜の形態であってよく、その数も適宜であってよいが、例えば、５本とされることで発熱層間の厚み調整を容易とする折り曲げ形態が得られる。
【考案の効果】
【００１０】
この考案の加熱補助具を用いることで、電子レンジにおいて厚みの異なる被加熱物を常に良好な焼き上がりとなるように加熱調理できるようになる。
【図面の簡単な説明】
【００１１】
【図１】この考案の加熱補助具の実施形態の開き状態の内面図
【図２】この考案の加熱補助具の実施形態の使用時の斜視図
【図３】この考案の加熱補助具の実施形態の使用時の斜視図
【図４】この考案の加熱補助具の他の実施形態の開き状態の内面図
【考案を実施するための最良の形態】
【００１２】
図1はこの考案の加熱補助具の開き状態の内面図である。加熱補助具１は長方形の厚紙片（基材シート）２の内面に発熱シート（発熱層）３が貼り付けられて構成され、その厚紙片２の長手方向の中央位置にミシン目状の切り目線よりなる５本の折り曲げ線５ａ、５ｂ、５ｃ、５ｄ、５ｅが、それぞれが互いに平行となるように並設されており、この位置において加熱補助具１は内面側が向かい合うように折り曲げられる。細線による発熱シート３上の点線は厚紙片２における折り曲げ線５ａ、５ｂ、５ｃ、５ｄ、５ｅの位置を示すものである。発熱シート３としては、ＰＥＴ（ポリエチレンテレフタレート樹脂）フィルム面にアルミ微粒子含有塗料層が塗布されたものの上にさらにＰＥＴフィルムが貼り付けられて構成されるシートを使用する。
【００１３】
厚紙片２の折り曲げ位置の両端縁部分には折り曲げを容易にするためのＶ型の凹み部７、７のそれぞれが設けられ、また、折り曲げられた際に相対する側縁部８、８の中央位置には係止凹部９と係止片１０とが設けられている。
【００１４】
図２、図３は上記加熱補助具１が折り曲げられて使用される状態を示す。折り曲げ使用時には係止凹部９に係止片１０が係止されることでその状態が維持される。加熱補助具１は、折り曲げ線５ｃのみで二つ折りとされた状態において商品提供される。
【００１５】
被加熱物に厚みが有る場合には、図２に示すように、折り曲げ線５ａ、５ｂ、５ｃ、５ｄ、５ｅそれぞれにおいて少しずつ折り曲げた状態として折り曲げ部分に膨らみを持たせて被加熱物が納められる空間Ｓ厚み幅を大きく形成し、これにより厚みのある被加熱物の両面に発熱層３が程よく接触するようにしている。
【００１６】
これに対し、被加熱物にあまり厚みの無い場合には、図３に示すように、折り曲げ線５ａ、５ｃ、５ｅそれぞれにおいて折り曲げた状態として折り曲げ部分にあまり膨らみを持たせないようにして被加熱物が納められる空間Ｓ厚み幅を小さく形成し、これにより被加熱物の両面に発熱層３が程よく接触するようにしている。扁平な被加熱物を加熱する場合には、折り曲げ線５ｂ、５ｃ、５ｄそれぞれにおいて、さらに折り曲げ線５ｃのみにおいて折り曲げた状態として被加熱物が納められる空間Ｓ厚み幅をさらに小さくできるようにしている。
【００１７】
上記の折り曲げ動作は、折り曲げ位置の両端縁部分にＶ型の凹み部７、７のそれぞれが設けられていることでそれを案内として容易になされる。
【００１８】
図４は他の実施形態における加熱補助具の開き状態の内面図である。この実施形態においては、その厚紙片１の長手方向の２か所の位置にそれぞれに５本の折り曲げ線５ａ、５ｂ、５ｃ、５ｄ、５ｅが設けられ、その２か所の位置で折り曲げ使用される。すなわち２か所で折り曲げられることで中央部Ｃと両側部Ｇ、Ｇの内面のそれぞれの発熱層３が互いに相対するように位置し、その間において被加熱物が加熱される。この場合においても、折り曲げ線５ａ、５ｂ、５ｃ、５ｄ、５ｅが適宜選択されて折り曲げられることで発熱層３間の空間Ｓ厚みが被加熱物の厚みに対応して設定できる。
【符号の説明】
【００１９】
１    加熱補助具
２    厚紙片（基材シート）
３    発熱シート（発熱層）
５ａ  折り曲げ線
５ｂ  折り曲げ線
５ｃ  折り曲げ線
５ｄ  折り曲げ線
５ｅ  折り曲げ線
【図１】
0003167540.tif 000003
【図２】
0003167540.tif 000004
【図３】
0003167540.tif 000005
【図４】
0003167540.tif 000006